【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
ビデオ・ディスプレイ・システムと、第一コンピューティング装置と、第二コンピューティング装置と、を備えたインタラクティブ・ビデオ・システムであって、
前記ビデオ・ディスプレイ・システムは、
ディスプレイ領域上にイメージを投影する手段と、
投影されたイメージとのインタラクションのイメージをキャプチャする手段と、を備え、前記投影されたイメージは第一のスケジュールされたコンテント選択を含んでおり、
前記第一コンピューティング装置は、
前記投影されたイメージとのインタラクションのイメージを分析し、前記投影されたイメージ及び前記第一のスケジュールされたコンテント選択とインタラクトする人や物体の位置及び移動に関する情報を決定するように構成されており、
前記第二コンピューティング装置は、
前記投影されたイメージ及び前記第一のスケジュールされたコンテント選択とインタラクトする人や物体の位置及び移動に関する情報に基づいて前記第１のスケジュールされたコンテント選択の人気を決定し、他のスケジュールされたコンテント選択に対する前記第１のスケジュールされたコンテント選択の人気を示すレポートを生成し、前記レポートはクエリに応答して生成される、
インタラクティブ・ビデオ・システム。
【請求項２】
前記第二コンピューティング装置は、前記第一のスケジュールされたコンテント選択の人気に基づいて前記第一スケジュールされたコンテント選択のこの先スケジュールを決定するように構成されている、請求項１に記載のインタラクティブ・ビデオ・システム。
【請求項３】
前記投影手段は、前記決定されたこの先スケジュールにしたがって前記第一のスケジュールされたコンテント選択を含むイメージを投影する、請求項２に記載のインタラクティブ・ビデオ・システム。
【請求項４】
前記第一コンピューティング装置は、さらに、前記投影されたイメージ外でかつ前記ディスプレイ領域内の人や物体の位置及び移動に関する情報を決定するように構成されており、前記投影されたイメージ外でかつ前記ディスプレイ領域内の人や物体の位置及び移動に関する情報は、前記第一のスケジュールされたコンテント選択の人気を決定するために、前記第二コンピューティング装置によって分析される、請求項１に記載のインタラクティブ・ビデオ・システム。
【請求項５】
前記第一のスケジュールされたコンテント選択の人気の決定は、前記第一のスケジュールされたコンテント選択とのインタラクションの数を、他のスケジュールされたコンテント選択とのインタラクションの数と比較することを含む、請求項１に記載のインタラクティブ・ビデオ・システム。
【請求項６】
前記他のスケジュールされたコンテント選択は、前記第一のスケジュールされたコンテント選択の直前にディスプレイされる、請求項５に記載のインタラクティブ・ビデオ・システム。
【請求項７】
前記他のスケジュールされたコンテント選択は、前記第一のスケジュールされたコンテント選択の直後にディスプレイされる、請求項５に記載のインタラクティブ・ビデオ・システム。
【請求項８】
前記第一のスケジュールされたコンテント選択とのインタラクションの数と、他のスケジュールされたコンテント選択とのインタラクションの数は、特定の期間に限定される、請求項５に記載のインタラクティブ・ビデオ・システム。
【請求項９】
前記第一のスケジュールされたコンテント選択の人気の決定は、前記第一のスケジュールされたコンテント選択の第一部分とのインタラクションの数を、前記第一のスケジュールされたコンテント選択の第二部分とのインタラクションの数と比較することを含む、請求項１に記載のインタラクティブ・ビデオ・システム。
【請求項１０】
前記第一のスケジュールされたコンテント選択の人気の決定は、前記第一のスケジュールされたコンテント選択と人あるいは物体とのインタラクションの時間の長さを決定することを含む、請求項１に記載のインタラクティブ・ビデオ・システム。
【請求項１１】
前記第一のスケジュールされたコンテント選択の人気の決定は、前記第一のスケジュールされたコンテント選択における人や物体とインタラクトする特定の物体を特定することを含む、請求項１に記載のインタラクティブ・ビデオ・システム。
【請求項１２】
前記第一のスケジュールされたコンテント選択の人気の決定は、前記投影されたイメージの特定のセグメントとのインタラクションの数を決定することを含み、前記投影されたイメージは第一のスケジュールされたコンテント選択を含む、請求項１に記載のインタラクティブ・ビデオ・システム。
【請求項１３】
前記第一のスケジュールされたコンテント選択の人気の決定は、前記第二コンピューティング装置が、一日の中の時刻、一週の中の曜日、季節、及び天候からなる群から選択された少なくとも一つの外部要因を分析することを含む、請求項１に記載のインタラクティブ・ビデオ・システム。
【請求項１４】
前記第一のスケジュールされたコンテント選択の人気の決定は、さらに、前記第二コンピューティング装置が、前記ビデオ・ディスプレイ・システムの物理的設置場所に関する少なくとも一つのデモグラフィックスを分析することを含み、前記デモグラフィックスは、性別、年齢、及び収入からなる群から選択される、請求項１に記載のインタラクティブ・ビデオ・システム。
【請求項１５】
請求項１に記載のインタラクティブ・ビデオ・システムは、さらに、
第二ビデオ・ディスプレイ・システムを含み、
前記第二ビデオ・ディスプレイ・システムは、
ディスプレイ領域にイメージを投影する手段と、
投影されたイメージとのインタラクションのイメージをキャプチャする手段と、を備え、前記投影されたイメージは第一のスケジュールされたコンテント選択を有し、
前記第二コンピューティング装置は、さらに、
前記第一ディスプレイ・システム及び第二ディスプレイ・システムにおける、前記投影されたイメージ及び前記第一のスケジュールされたコンテント選択とインタラクトする人や物体の位置及び移動に関する情報に基づいて前記第一のスケジュールされたコンテント選択の人気を決定するように構成されている、インタラクティブ・ビデオ・システム。
【請求項１６】
前記第二ビデオ・ディスプレイ・システムにおける投影手段は、前記決定されたこの先のスケジュールにしたがって第一のスケジュールされたコンテント選択を含むイメージを投影する、請求項１５に記載のインタラクティブ・ビデオ・システム。
【請求項１７】
前記第一のスケジュールされたコンテント選択の人気の決定は、前記第一のスケジュールされたコンテント選択とインタラクトする人や物体の移動の量を決定することを含む、請求項１に記載のインタラクティブ・ビデオ・システム。
【請求項１８】
自己充足型インタラクティブ・ディスプレイ装置において、
ディスプレイ領域上にイメージを投影する手段と、
投影されたイメージとのインタラクションのイメージをキャプチャする手段であって、前記投影されたイメージはスケジュールされたコンテント選択を含んでいる、キャプチャ手段と、
前記投影されたイメージとのインタラクションのイメージを分析して、前記投影されたイメージ及び前記第一のスケジュールされたコンテント選択とインタラクトする人や物体の位置及び移動に関する情報を決定し、前記投影されたイメージ及び前記第一のスケジュールされたコンテント選択とインタラクトする人や物体の位置及び移動の情報を分析する分析手段であって、前記情報の分析は前記スケジュールされたコンテント選択の人気に関する決定を含んでいる、分析手段と、
他のスケジュールされたコンテント選択に対する前記スケジュールされたコンテント選択の人気を示すレポートを生成する手段であって、前記レポートはクエリに応答して生成される、生成手段と、
を備えた装置。
【請求項１９】
請求項１８に記載のインタラクティブ・ディスプレイ装置は、さらに、前記スケジュールされたコンテント選択の人気に基づいて前記スケジュールされたコンテント選択のこの先のディスプレイスケジュールをスケジューリングする手段を備えている、装置。
【請求項２０】
前記投影手段は、前記この先のディスプレイスケジュールにしたがって前記スケジュールされたコンテント選択を含むイメージを投影する、請求項１９に記載の装置。
【請求項２１】
プロジェクタを用いてディスプレイ領域上にイメージを投影し、
カメラを用いて投影されたイメージとインタラクションするイメージを検出し、前記投影されたイメージはスケジュールされたコンテント選択を含んでおり、
コンピューティング装置において、投影されたイメージとのインタラクションのイメージを分析し、前記分析は、前記投影されたイメージ及び前記スケジュールされたコンテント選択とインタラクトする人や物体の位置及び移動に関する情報を決定し、かつ、前記分析は、前記スケジュールされたコンテント選択の人気に関する決定を含んでおり、
前記コンピューティング装置に接続されたデータベースからリポートを生成し、前記リポートは、他のスケジュールされたコンテント選択に対する前記スケジュールされたコンテント選択の人気を示し、前記レポートは、クエリに応答して生成される、
ディスプレイとのインタラクションを追跡する方法。
【請求項２２】
前記コンピューティングデバイスにおいて、前記スケジュールされたコンテント選択のこの先のディスプレイスケジュールを調整することを含み、前記この先のディスプレイスケジュールは前記スケジュールされたコンテント選択の人気に基づくものである、請求項２１に記載の方法。
【請求項２３】
さらに、プロジェクタを用いて前記スケジュールされたコンテント選択を含むイメージを投影することを含み、前記投影は前記この先のディスプレイスケジュールに応答して生成される、請求項２２に記載の方法。